(57)【要約】【課題】画像を鮮明に表示でき、しかも照明器具としての利便性に優れたプロジェクタを提供する。【解決手段】画像投射用の光路Ｌ３ａとは異なる光路Ｌ４ａを通過させて光源部２からの光を射出可能に構成されている。これにより、液晶パネル２２等を移動させることなく、光源部２からの光を射出させて照明器具として使用することができる。したがって、画像を表示する際には、液晶パネル２２等ががたつくおそれがないため、鮮明な映像を表示することができる。また、投射光学系３（投射レンズ）と、照明光学系４とで別個独立したレンズ群を配設することができるため、画像の表示に適したレンズ群を投射光学系３に採用して鮮明な画像を表示することができると共に、例えばスポット光から拡散光までの各種照明光を射出可能なレンズ群を照明光学系４に採用して照明器具としての利便性を十分に向上させることができる。【選択図】図１
2006162832.tif 000002
【特許請求の範囲】
【請求項１】
画像投射用の第１光路とは異なる第２光路を通過させて光源からの光を射出可能に構成されているプロジェクタ。
【請求項２】
前記第１光路および前記第２光路のいずれかに前記光源からの光を案内する案内部を備えている請求項１記載のプロジェクタ。
【請求項３】
前記案内部は、前記光源を回動させて当該光源からの光を前記第１光路および前記第２光路のいずれかに向けさせる回動機構を備えている請求項２記載のプロジェクタ。
【請求項４】
前記案内部は、ミラーと、当該ミラーを移動させて前記光源からの光を前記第１光路および前記第２光路のいずれかに反射させる移動機構とを備えている請求項２記載のプロジェクタ。
【請求項５】
前記光源からの光を偏光変換して前記第１光路および前記第２光路に案内する偏光変換部を備えている請求項１記載のプロジェクタ。
【請求項６】
前記第２光路に案内された光の射出を規制する規制部を備えている請求項５記載のプロジェクタ。
【発明の詳細な説明】
【技術分野】
【０００１】
本発明は、光源からの光を照明光として射出可能に構成されたプロジェクタに関するものである。
【背景技術】
【０００２】
この種のプロジェクタとして、スクリーンに映像を表示可能に構成されると共に、ビデオライトや懐中電灯等（以下、「照明器具」ともいう）として使用可能に構成されたプロジェクタ装置が特開平６−５９２３９号公報に開示されている。このプロジェクタ装置では、光源からの光が、熱線吸収フィルタ、コンデンサレンズ、液晶表示パネルおよび投影レンズをこの順で通過する光路を経て装置外部に射出されることにより、例えばビデオテープに記録された画像（ビデオデッキ等から出力される映像信号に基づく画像）がスクリーンに表示される。この場合、このプロジェクタ装置では、液晶表示パネルがパネルホルダに取り付けられると共に、パネルホルダがヒンジを介してケーシングに取り付けられている。これにより、ケーシングに対してパネルホルダを横倒しにして液晶表示パネルを上記の光路上から退避させることが可能となっている。したがって、このプロジェクタを照明器具として使用する際には、光透過率が低い液晶表示パネルを光路上から退避させて光源からの光の光量を低下させることなく投影レンズから射出することが可能となっている。
【特許文献１】特開平６−５９２３９号公報
【発明の開示】
【発明が解決しようとする課題】
【０００３】
ところが、従来のプロジェクタ装置には、以下の問題点がある。すなわち、このプロジェクタ装置では、照明器具として使用する際に液晶表示パネルを光路上から退避させる構成が採用されている。この場合、映像信号に基づく画像の表示に際しては、コンデンサレンズと液晶表示パネルとの位置関係、および液晶表示パネルと投影レンズとの位置関係が非常に重要であり、これらの位置関係が僅かにずれただけでも鮮明な画像を表示させるのが困難となる。一方、従来のプロジェクタ装置では、照明器具としての使用を考慮して可倒式のパネルホルダに液晶表示パネルが取り付けられているため、液晶表示パネル（パネルホルダ）がケーシングに対してがたつくおそれがある。このため、従来のプロジェクタ装置には、映像信号に基づく画像を鮮明に表示するのが困難であるという問題点が存在する。また、この種のプロジェクタに搭載されている投影レンズは、スクリーン上の所定の領域に映像を表示させるのに適した開口率のレンズ群で構成されている。したがって、照明器具として使用する際に画像表示用の投影レンズから光を射出する従来のプロジェクタ装置では、ある程度狭い範囲を明るく照らしたり、広範囲を照らしたりするのが困難のため、照明器具としての利便性に劣るという問題点も存在する。
【０００４】
本発明は、かかる問題点に鑑みてなされたものであり、画像を鮮明に表示でき、しかも照明器具としての利便性に優れたプロジェクタを提供することを主目的とする。
【課題を解決するための手段】
【０００５】
上記目的を達成すべく本発明に係るプロジェクタは、画像投射用の第１光路とは異なる第２光路を通過させて光源からの光を射出可能に構成されている。
【０００６】
このプロジェクタによれば、画像投射用の第１光路とは異なる第２光路を通過させて光源からの光を射出することにより、液晶パネル等を移動させることなく、光源からの光を射出させてプロジェクタを照明器具として使用することができる。したがって、プロジェクタによって画像を表示する際には、液晶パネル等ががたつくおそれがないため、鮮明な映像を表示することができる。また、画像を表示させるための光学系（投射レンズ）と、プロジェクタから照明光を射出するための光学系とで別個独立したレンズ群を配設することができるため、画像の表示に適したレンズ群を画像表示用の光学系に採用して鮮明な画像を表示することができると共に、例えばスポット光から拡散光までの各種照明光を射出可能なレンズ群を照明用の光学系に採用してプロジェクタの照明器具としての利便性を十分に向上させることができる。
【０００７】
また、本発明に係るプロジェクタは、上記のプロジェクタにおいて、前記第１光路および前記第２光路のいずれかに前記光源からの光を案内する案内部を備えている。
【０００８】
このプロジェクタによれば、第１光路および第２光路のいずれかに光源からの光を案内する案内部を備えたことにより、画像の表示に際しては、表示の妨げとなり得る照明光の射出を規制できるため、照明器具としての使用に際しては、液晶パネル等に負担をかけることなく、光源からの光を照明光として射出して周囲を明るく照らすことができる。
【０００９】
さらに、本発明に係るプロジェクタは、上記のプロジェクタにおいて、前記案内部が、前記光源を回動させて当該光源からの光を前記第１光路および前記第２光路のいずれかに向けさせる回動機構を備えている。
【００１０】
このプロジェクタによれば、案内部が、光源からの光を第１光路および第２光路のいずれかに向けさせる回動機構を備えたことにより、比較的簡易な構成でありながら、光源からの光を両光路のいずれかに案内することができる。したがって、製造コストの高騰を招くことなく、画像表示装置および照明器具として使用可能なプロジェクタを提供することができる。
【００１１】
また、本発明に係るプロジェクタは、上記のプロジェクタにおいて、前記案内部が、ミラーと、当該ミラーを移動させて前記光源からの光を前記第１光路および前記第２光路のいずれかに反射させる移動機構とを備えている。
【００１２】
このプロジェクタによれば、案内部が、ミラーと、ミラーを移動させて光源からの光を第１光路および第２光路のいずれかに反射させる移動機構とを備えたことにより、比較的簡易な構成でありながら、光源からの光を両光路のいずれかに案内することができる。したがって、製造コストの高騰を招くことなく、画像表示装置および照明器具として使用可能なプロジェクタを提供することができる。
【００１３】
さらに、本発明に係るプロジェクタは、上記のプロジェクタにおいて、前記光源からの光を偏光変換して前記第１光路および前記第２光路に案内する偏光変換部を備えている。
【００１４】
このプロジェクタによれば、光源からの光を偏光変換して第１光路および第２光路に案内する偏光変換部を備えたことにより、この種のプロジェクタ（偏光ビームスプリッタによる偏光変換処理を行うタイプのプロジェクタ）において画像の表示時に使用されないＰ偏光された光を照明光として有効に利用することができる。
【００１５】
また、本発明に係るプロジェクタは、上記のプロジェクタにおいて、前記第２光路に案内された光の射出を規制する規制部を備えている。
【００１６】
このプロジェクタによれば、第２光路に案内された光の射出を規制する規制部を備えたことにより、画像の表示に際して表示の妨げとなり得る照明光の射出を規制することができる。
【発明を実施するための最良の形態】
【００１７】
以下、添付図面を参照して、本発明に係るプロジェクタの最良の形態について説明する。本発明に係るプロジェクタの一例であるプロジェクタ１Ａは、図１，２に示すように、光源部２、投射光学系３、照明光学系４、光路変更部５Ａおよび制御部（制御基板）６を備えて構成されている。光源部２は、光源１１および冷却部１４がフレーム１５に固定されている。この場合、光源１１は、一例として、メタルハライドランプや高圧水銀ランプ等の高輝度ランプで構成され、制御部６の制御に従って点灯させられる。また、ランプの光を集光するためのリフレクタ１２が配設されている。さらに、リフレクタ１２に集光レンズ１３を配設することもできる。この場合、集光レンズ１３を配設したときには、投射光学系３および照明光学系４の光学的特定を適宜変更する。また、冷却部１４は、冷却用のファン（図示せず）等を備え、制御部６の制御に従って所定温度範囲内となるように光源１１を冷却する。
【００１８】
投射光学系３は、映像信号等に基づく画像をスクリーン等（図示せず）に表示するための光学系であって、両図に示すように、集光レンズ２１、液晶パネル２２および投射レンズ２３を備えている。集光レンズ２１は、光源部２からの光を液晶パネル２２に集光する。液晶パネル２２は、制御部６の制御に従って光源部２からの光を変調する。投射レンズ２３は、液晶パネル２２によって変調された光をスクリーンに向けて射出する。この場合、投射レンズ２３は、画像の表示に適した開口率のレンズ群で構成されている。なお、投射光学系３の構成は、上記の例示に限定されるものではなく、レンズアレイ、重畳レンズ、調光部および偏光部などを必要に応じて適宜配設することができる。照明光学系４は、プロジェクタ１Ａをビデオライトや電灯として使用する際に照明光を射出するための光学系であって、一例として、開口率可変型のレンズ群で構成され、スポット光から拡散光までの各種照明光を射出可能に構成されている。この場合、このプロジェクタ１Ａでは、光源部２からの光が投射光学系３を通過する（集光レンズ２１、液晶パネル２２および投射レンズ２３をこの順で通過する）光路Ｌ３ａが本発明における第１光路に相当し、光源部２からの光が照明光学系４を通過する光路Ｌ４ａが本発明における第２光路に相当する。
【００１９】
光路変更部５Ａは、本発明における案内部に相当し、両図に示すように、制御部６の制御に従って光源部２のフレーム１５を図１に示す矢印Ａ１の向き、および図２に示す矢印Ａ２の向きに回動させるモータ３１（本発明における回動機構の一例）を備えている。なお、本発明における回動機構は、上記のモータ３１に限定されず、アクチュエータ等の各種動力機構を用いて光源部２を回動させる構成、または、手動で光源部２を回動させる構成を採用することができる。制御部６は、光源１１の点灯および消灯に対する制御処理、光路変更部５Ａ（モータ３１）による光源部２の回動に対する制御処理、並びに投射光学系３（液晶パネル２２）による光変調に対する制御処理などを実行する。
【００２０】
次に、プロジェクタ１Ａの使用方法について、図面を参照して説明する。プロジェクタ１Ａによる画像の表示に際しては、まず、制御部６が光路変更部５Ａ（モータ３１）を制御して、図１に示すように、光源部２を投射光学系３側（光路Ｌ３ａ側）に向けて回動させる。次いで、制御部６は、光源部２を制御して光源１１を点灯させると共に、液晶パネル２２を制御して例えばビデオデッキからの映像信号に基づく光変調を開始させる。この際には、光源１１からの光がリフレクタ１２によって反射されて、集光レンズ２１、液晶パネル２２および投射レンズ２３を順に通過して（光路Ｌ３ａを通過して）図示しないスクリーンに投射される。この際に、光源部２からの光が液晶パネル２２を通過するときに光変調されることにより、映像信号に基づく画像がスクリーンに表示される。この場合、このプロジェクタ１Ａでは、集光レンズ２１、液晶パネル２２および投射レンズ２３が可動することなくプロジェクタ１Ａの筐体に対して固定されているため、液晶パネル２２等のがたつき等を招くことなく、鮮明な画像がスクリーンに表示される。
【００２１】
一方、プロジェクタ１Ａを照明器具として使用する際には、まず、制御部６が光路変更部５Ａ（モータ３１）を制御して、光源部２を図１に示す矢印Ａ１の向きに回動させることにより、図２に示すように、光源部２を照明光学系４側（光路Ｌ４ａ側）に向けて回動させる。次いで、制御部６は、光源部２を制御して光源１１を点灯させる。この際には、光源部２からの光が液晶パネル２２等を通過することなく、光路Ｌ３ａとは異なる光路Ｌ４ａ（照明光学系４）を通過してプロジェクタ１Ａの外部に射出される。この際に、狭い範囲を明るく照らすときには、照明光学系４を適宜調節してスポット光を射出させる。一方、広い範囲を照らすときには、照明光学系４を適宜調節して拡散光を射出させる。これにより、照明光学系４からの光によってプロジェクタ１Ａの周囲（照明光学系４の前方）が明るく照らされる。
【００２２】
このように、このプロジェクタ１Ａによれば、画像投射用の光路Ｌ３ａとは異なる照明光射出用の光路Ｌ４ａを通過させて光源部２からの光を射出することにより、液晶パネル２２等を移動させることなく、光源部２からの光を射出させてプロジェクタ１Ａを照明器具として使用することができる。したがって、プロジェクタ１Ａによって画像を表示する際には、液晶パネル２２等ががたつくおそれがないため、鮮明な映像を表示することができる。また、画像を表示させるための投射光学系３（投射レンズ２３）と、プロジェクタ１Ａから照明光を射出するための照明光学系４とで別個独立したレンズ群を配設することができるため、画像の表示に適したレンズ群を投射光学系３に採用して鮮明な画像を表示することができると共に、例えばスポット光から拡散光までの各種照明光を射出可能なレンズ群を照明光学系４に採用してプロジェクタ１Ａの照明器具としての利便性を十分に向上させることができる。
【００２３】
また、このプロジェクタ１Ａによれば、光路Ｌ３ａおよび光路Ｌ４ａのいずれかに光源部２からの光を案内する光路変更部５Ａを備えたことにより、画像の表示に際しては、表示の妨げとなり得る照明光の射出を規制できるため、照明器具としての使用に際しては、液晶パネル２２等に負担をかけることなく、光源部２からの光を照明光として射出して周囲を明るく照らすことができる。
【００２４】
さらに、このプロジェクタ１Ａによれば、光路変更部５Ａが、光源部２からの光を光路Ｌ３ａおよび光路Ｌ４ａのいずれかに向けさせるモータ３１を備えたことにより、比較的簡易な構成でありながら、光源部２からの光を光路Ｌ３ａ，Ｌ４ａのいずれかに案内することができる。したがって、製造コストの高騰を招くことなく、画像表示装置および照明器具として使用可能なプロジェクタ１Ａを提供することができる。
【００２５】
次いで、本発明におけるプロジェクタの他の一例であるプロジェクタ１Ｂの構成、およびその使用方法について、図面を参照して説明する。なお、上記のプロジェクタ１Ａと共通の構成要素については、同一の符号を付して重複する説明を省略する。プロジェクタ１Ｂは、図３，４に示すように、上記のプロジェクタ１Ａにおける光源部２に代えて光源部２Ａを備えると共に、プロジェクタ１Ａにおける投射光学系３に代えて投射光学系３Ａを備えている。光源部２Ａは、光源１１Ｒ，１１Ｇ，１１Ｂと、プリズム１６とがフレーム１５に固定されている。この場合、光源１１Ｒ，１１Ｇ，１１Ｂには、リフレクタ１２がそれぞれ取り付けられると共に、光源１１Ｒが赤色光を射出し、光源１１Ｇが緑色光を射出し、光源１１Ｂが青色光を射出するように構成されている。プリズム１６は、光源１１Ｒ，１１Ｂからそれぞれ射出された赤色光および青色光を屈折させて光路変換すると共に、光源１１Ｇから射出された緑色光を透過させることにより、光源１１Ｒ，１１Ｇ，１１Ｂから射出された赤色光、緑色光および青色光を同一の方向に案内する。
【００２６】
投射光学系３Ａは、投射光学系３における液晶パネル２２に代えて液晶パネル２２ａを備えている。液晶パネル２２ａは、制御部６の制御に従って、フィールドシーケンシャル方式による光変調を実行する。この場合、このプロジェクタ１Ｂでは、光源部２Ａからの光が投射光学系３Ａを通過する（集光レンズ２１、液晶パネル２２ａおよび投射レンズ２３をこの順で通過する）光路Ｌ３ｂが本発明における第１光路に相当し、光源部２Ａからの光が照明光学系４を通過する光路Ｌ４ｂが本発明における第２光路に相当する。
【００２７】
このプロジェクタ１Ｂによる画像の表示に際しては、まず、制御部６が光路変更部５Ａ（モータ３１）を制御して、図３に示すように、光源部２Ａを投射光学系３Ａ側（光路Ｌ３ｂ側）に向けて回動させる。次いで、制御部６は、光源部２Ａを制御して光源１１Ｒ，１１Ｇ，１１Ｂを順次点灯させると共に、液晶パネル２２ａを制御して例えばビデオデッキからの映像信号に基づく光変調を開始させる。この際には、光源１１Ｒ，１１Ｇ，１１Ｂからそれぞれ射出された光がリフレクタ１２によって反射されて、集光レンズ２１、液晶パネル２２ａおよび投射レンズ２３を順に通過して（光路Ｌ３ｂを通過して）図示しないスクリーンに投射される。この際に、液晶パネル２２ａは、制御部６の制御に従って、光源１１Ｒの点灯時に赤色についての信号に基づく光変調を実行し、光源１１Ｇの点灯時に緑色についての信号に基づく光変調を実行し、光源１１Ｂの点灯時に青色についての信号に基づく光変調を実行する。これにより、映像信号に基づく画像がスクリーンに表示される。この場合、このプロジェクタ１Ｂでは、集光レンズ２１、液晶パネル２２ａおよび投射レンズ２３が可動することなくプロジェクタ１Ｂの筐体に固定されているため、液晶パネル２２ａ等のがたつき等を招くことなく、鮮明な画像がスクリーンに表示される。
【００２８】
一方、プロジェクタ１Ｂを照明器具として使用する際には、まず、制御部６が光路変更部５Ａ（モータ３１）を制御して、光源部２Ａを図３に示す矢印Ｂ１の向きに回動させることにより、図４に示すように、光源部２Ａを照明光学系４側（光路Ｌ４ｂ側）に向けて回動させる。次いで、制御部６は、光源部２Ａを制御して光源１１Ｒ，１１Ｇ，１１Ｂを同時点灯させる。この際には、光源１１Ｒ，１１Ｇ，１１Ｂからそれぞれ射出された赤色光、緑色光および青色光がプリズム１６を通過する際に光合成されて白色光となり、液晶パネル２２ａ等を通過することなく、照明光学系４（光路Ｌ４ｂ）を通過してプロジェクタ１Ｂの外部に射出される。これにより、プロジェクタ１Ｂの周囲（照明光学系４の前方）が照明光学系４からの光によって明るく照らされる。この後、プロジェクタ１Ｂによって画像を表示させる際には、光路変更部５Ａが制御部６の制御に従って光源部２Ａを矢印Ｂ２の向きに回動させる。これにより、前述したように、光源部２Ａから光路Ｌ３ｂを通過した光によってスクリーンに画像が表示される。
【００２９】
このように、このプロジェクタ１Ｂによれば、画像投射用の光路Ｌ３ｂとは異なる照明光射出用の光路Ｌ４ｂを通過させて光源部２Ａからの光を射出することにより、上記のプロジェクタ１Ａと同様にして、画像の表示に際しては、表示の妨げとなり得る照明光の射出を規制でき、照明器具としての使用に際しては、液晶パネル２２等に負担をかけることなく、光源部２Ａからの光を照明光として射出して周囲を明るく照らすことができる。
【００３０】
続いて、本発明におけるプロジェクタのさらに他の一例であるプロジェクタ１Ｃの構成、およびその使用方法について、図面を参照して説明する。なお、上記のプロジェクタ１Ａ，１Ｂと共通の構成要素については、同一の符号を付して重複する説明を省略する。プロジェクタ１Ｃは、図５，６に示すように、前述したプロジェクタ１Ａにおける光路変更部５Ａに代えて光路変更部５Ｃを備えると共に、光源部２が可動することなくプロジェクタ１Ｃの筐体に固定されている。光路変更部５Ｃは、本発明における案内部の他の一例であって、ミラー４１およびモータ４２を備えている。ミラー４１は、画像を表示する状態において本発明における第１光路に相当する光路Ｌ３ｃ上から退避させられると共に、プロジェクタ１Ｃを照明器具として使用する際にモータ４２によって回動させられて（移動させられて）光路Ｌ３ｃ上に配置されて、光源部２からの光を反射して本発明における第２光路に相当する光路Ｌ４ｃに反射する。モータ４２は、本発明における移動機構の一例であって、制御部６の制御に従ってミラー４１を回動（移動）させる。この場合、制御部６による制御によらず、ミラー４１を手動で回動（移動）させる構成を採用することもできる。
【００３１】
このプロジェクタ１Ｃによる画像の表示に際しては、まず、制御部６が光路変更部５Ｃ（モータ４２）を制御して、図５に示すように、ミラー４１を光路Ｌ３ｃ上から退避させる。次いで、制御部６は、光源部２を制御して光源１１を点灯させると共に、液晶パネル２２を制御して例えばビデオデッキからの映像信号に基づく光変調を開始させる。この際には、光源部２からの光が、集光レンズ２１、液晶パネル２２および投射レンズ２３を順に通過して（光路Ｌ３ｃを通過して）図示しないスクリーンに投射される。これにより、映像信号に基づく画像がスクリーンに表示される。この場合、このプロジェクタ１Ｃでは、集光レンズ２１、液晶パネル２２および投射レンズ２３が可動することなくプロジェクタ１Ｃの筐体に固定されているため、前述したプロジェクタ１Ａ，１Ｂと同様にして、液晶パネル２２等のがたつき等を招くことなく、鮮明な画像がスクリーンに表示される。
【００３２】
一方、プロジェクタ１Ｃを照明器具として使用する際には、まず、制御部６が光路変更部５Ｃ（モータ４２）を制御して、ミラー４１を図５に示す矢印Ｃ１の向きに回動させることにより、図６に示すように、ミラー４１を光路Ｌ３ｃ上に移動させる。次いで、制御部６は、光源部２を制御して光源１１を点灯させる。この際には、光源部２からの光がミラー４１によって反射されて光路Ｌ４ｃに案内され、液晶パネル２２等を通過することなく、照明光学系４（光路Ｌ４ｃ）を通過してプロジェクタ１Ｃの外部に射出される。これにより、プロジェクタ１Ｃの周囲（照明光学系４の前方）が照明光学系４から射出された光によって明るく照らされる。この後、プロジェクタ１Ｃによって画像を表示させる際には、光路変更部５Ｃが制御部６の制御に従ってミラー４１を矢印Ｃ２の向きに回動させて光路Ｌ３ｃ上から退避させる。これにより、前述したように、光源部２から光路Ｌ３ｃを通過した光によってスクリーンに画像が表示される。
【００３３】
このように、このプロジェクタ１Ｃによれば、画像投射用の光路Ｌ３ｃとは異なる照明光射出用の光路Ｌ４ｃを通過させて光源部２からの光を射出することにより、上記のプロジェクタ１Ａ，１Ｂと同様にして、画像の表示に際しては、表示の妨げとなり得る照明光の射出を規制でき、照明器具としての使用に際しては、液晶パネル２２等に負担をかけることなく、光源部２からの光を照明光として射出して周囲を明るく照らすことができる。
【００３４】
また、このプロジェクタ１Ｃによれば、光路変更部５Ｃが、ミラー４１と、ミラー４１を回動させて光源部２からの光を光路Ｌ３ｃおよび光路Ｌ４ｃのいずれかに案内するモータ４２とを備えたことにより、比較的簡易な構成でありながら、光源部２からの光を光路Ｌ３ｃ，Ｌ４ｃのいずれかに案内することができる。したがって、製造コストの高騰を招くことなく、画像表示装置および照明器具として使用可能なプロジェクタ１Ｃを提供することができる。
【００３５】
なお、上記のプロジェクタ１Ｃでは、ミラー４１を回動させることによって光源部２からの光を光路Ｌ３ｃ，Ｌ４ｃのいずれかに案内する構成が採用されているが、本発明はこれに限定されず、例えばミラー４１をスライドさせて移動させることで光源部２からの光を光路Ｌ３ｃ，Ｌ４ｃのいずれかに案内する構成を採用することができる。また、このプロジェクタ１Ｃでは、画像を表示する状態においてミラー４１を光路Ｌ３ｃ上から退避させると共に、プロジェクタ１Ｃを照明器具として使用する際にミラー４１を光路Ｌ３ｃ上に移動させる構成が採用されているが、本発明はこれに限定されず、画像を表示する状態においてミラー４１によって光源部２から光を反射させて本発明における第１光路に案内し、照明器具として使用する際にミラー４１による反射を解除して光源部２から光を反射させて本発明における第２光路に案内する構成を採用することもできる。さらに、画像を表示するとき、および照明器具として使用するときの双方においてミラー４１によって光源部２からの光を反射して本発明における第１光路および第２光路のいずれかに案内する構成を採用することもできる。
【００３６】
次に、本発明におけるプロジェクタのさらに他の一例であるプロジェクタ１Ｄの構成、およびその使用方法について、図面を参照して説明する。なお、上記のプロジェクタ１Ａ〜１Ｃと共通の構成要素については、同一の符号を付して重複する説明を省略する。プロジェクタ１Ｄは、図７，８に示すように、前述したプロジェクタ１Ａにおける光路変更部５Ａに代えて光路変更部５Ｄを備えると共に、光源部２が可動することなくプロジェクタ１Ｄの筐体に固定されている。光路変更部５Ｄは、本発明における偏光変換部の一例である偏光ビームスプリッタ５１と、本発明における規制部の一例である遮光板６１とを備えている。
【００３７】
偏光ビームスプリッタ５１は、光源部２からの光に対してＳ偏光した光を投射光学系３側（光路Ｌ３ｄ側）に案内すると共に、光源部２からの光に対してＰ偏光した光を照明光学系４側（光路Ｌ４ｄ側）に案内する。この場合、このプロジェクタ１Ｄでは、光源部２からの光が投射光学系３を通過する（集光レンズ２１、液晶パネル２２および投射レンズ２３をこの順で通過する）光路Ｌ３ｄが本発明における第１光路に相当し、光源部２からの光が照明光学系４を通過する光路Ｌ４ｄが本発明における第２光路に相当する。遮光板６１は、アクチュエータ６２によって図７，８に示す矢印Ｄ１，Ｄ２に向きにスライドさせられることにより、照明光学系４からの光の射出を規制する規制位置（図７に示す位置）または許容位置（図８に示す位置）に移動させられる。
【００３８】
このプロジェクタ１Ｄによる画像の表示に際しては、まず、制御部６がアクチュエータ６２を制御して、図７に示すように、遮光板６１を規制位置にスライドさせる。次いで、制御部６は、光源部２を制御して光源１１を点灯させると共に、液晶パネル２２を制御して例えばビデオデッキからの映像信号に基づく光変調を開始させる。この際には、光源１１からの光がリフレクタ１２によって反射される。また、反射された光のうち、偏光ビームスプリッタ５１によってＳ偏光された光が光路Ｌ３ｄに案内させられて、集光レンズ２１、液晶パネル２２および投射レンズ２３を順に通過して（光路Ｌ３ｄを通過して）、図示しないスクリーンに投射される。これにより、映像信号に基づく画像がスクリーンに表示される。この場合、このプロジェクタ１Ｄでは、集光レンズ２１、液晶パネル２２および投射レンズ２３が可動することなくプロジェクタ１Ｄの筐体に固定されているため、前述したプロジェクタ１Ａ〜１Ｃと同様にして液晶パネル２２等のがたつき等を招くことなく、鮮明な画像がスクリーンに表示される。また、画像の表示に際して光源部２から射出された光のうち、偏光ビームスプリッタ５１によってＰ偏光された光は、照明光学系４に向けて案内されるものの、遮光板６１によって遮光されてプロジェクタ１Ｄ外への射出が規制される。
【００３９】
一方、プロジェクタ１Ｄを照明器具として使用する際には、まず、制御部６がアクチュエータ６２を制御して、図７に示す矢印Ｄ１の向きにスライドさせることにより、図８に示すように、遮光板６１を許容位置にスライドさせる。次いで、制御部６は、光源部２を制御して光源１１を点灯させる。この際には、光源部２から射出された光のうち、偏光ビームスプリッタ５１によってＰ偏光された光が光路Ｌ４ｄに案内されて、液晶パネル２２等を通過することなく、照明光学系４（光路Ｌ４ｄ）を通過してプロジェクタ１Ｄの外部に射出される。これにより、プロジェクタ１Ｄの周囲（照明光学系４の前方）が照明光学系４から射出された光によって明るく照らされる。この後、プロジェクタ１Ｄによって画像を表示させる際には、アクチュエータ６２が制御部６の制御に従って遮光板６１を矢印Ｄ２の向きにスライドさせて照明光学系４からの光の射出を規制する。これにより、前述したように、光源部２からの光が偏光ビームスプリッタ５１によってＳ偏光された光が光路Ｌ３ｄを通過してスクリーンに画像が表示される。
【００４０】
このように、このプロジェクタ１Ｄによれば、画像投射用の光路Ｌ３ｄとは異なる照明光射出用の光路Ｌ４ｄを通過させて光源部２からの光を射出することにより、上記のプロジェクタ１Ａ〜１Ｃと同様にして、画像の表示に際しては、表示の妨げとなり得る照明光の射出を規制でき、照明器具としての使用に際しては、光源部２からの光を照明光として射出して周囲を明るく照らすことができる。
【００４１】
また、このプロジェクタ１Ｄによれば、光源部２からの光を偏光変換して光路Ｌ３ｄおよび光路Ｌ４ｄに案内する偏光ビームスプリッタ５１を備えたことにより、この種のプロジェクタ（偏光ビームスプリッタによる偏光変換処理を行うタイプのプロジェクタ）において画像の表示時に使用されないＰ偏光された光を照明光として有効に利用することができる。この場合、照明光としてＰ偏光（画像投射光としてＳ偏光）を利用する構成を採用することもできる。
【００４２】
さらに、このプロジェクタ１Ｄによれば、光路Ｌ４ｄに案内された光の射出を規制する遮光板６１を備えたことにより、画像の表示に際して表示の妨げとなり得る照明光の射出を規制することができる。
【００４３】
なお、上記のプロジェクタ１Ｄでは、遮光板６１をスライドさせて遮光する構成を採用しているが、本発明における規制部の構成はこれに限定されない。例えば、Ｐ偏光された光の通過を光路Ｌ４ｄ上に配設した液晶シャッタによって規制または許容する構成を採用することができる。また、照明光学系４に装着可能なレンズキャップによって本発明における規制部を構成することもできる。さらに、本発明における規制部を投射光学系３側（光路Ｌ３ｄ側）にも配設し、プロジェクタ１Ｄを照明器具として使用する際に、投射光学系３から光が射出されるのを規制する構成を採用することもできる。
【図面の簡単な説明】
【００４４】
【図１】画像を表示している状態のプロジェクタ１Ａの構成図である。
【図２】照明光を射出している状態のプロジェクタ１Ａの構成図である。
【図３】画像を表示している状態のプロジェクタ１Ｂの構成図である。
【図４】照明光を射出している状態のプロジェクタ１Ｂの構成図である。
【図５】画像を表示している状態のプロジェクタ１Ｃの構成図である。
【図６】照明光を射出している状態のプロジェクタ１Ｃの構成図である。
【図７】画像を表示している状態のプロジェクタ１Ｄの構成図である。
【図８】照明光を射出している状態のプロジェクタ１Ｄの構成図である。
【符号の説明】
【００４５】
１Ａ〜１Ｄ  プロジェクタ、２，２Ａ  光源部、３，３Ａ  投射光学系、４  照明光学系、５Ａ，５Ｃ〜５Ｄ  光路変更部、３１，４２  モータ、４１  ミラー、５１  偏光ビームスプリッタ、６１  遮光板、６２  アクチュエータ、Ｌ３ａ〜Ｌ３ｄ，Ｌ４ａ〜Ｌ４ｄ  光路
【図１】
2006162832.tif 000003
【図２】
2006162832.tif 000004
【図３】
2006162832.tif 000005
【図４】
2006162832.tif 000006
【図５】
2006162832.tif 000007
【図６】
2006162832.tif 000008
【図７】
2006162832.tif 000009
【図８】
2006162832.tif 000010